(57)【要約】【課題】湯切れを防止しつつ、無駄な沸き上げを防止して電気代を節約する液体加熱供給装置（例えば、ヒートポンプ給湯機）を提供する。【解決手段】被加熱液体を加熱して高温の被加熱液体とする液体加熱手段３０と、前記液貯液タンク８と、制御手段５０と、を備え、前記制御手段５０は、沸き上げ時間帯において、前記液体加熱手段３０により加熱された高温の被加熱液体を前記貯液タンク８に貯える沸き上げ運転と、前記沸き上げ時間帯以外の時間帯である沸き増し時間帯において、前記貯液タンク８内の高温の被加熱液体が所定量以下となると、前記液体加熱手段３０により加熱された高温の被加熱液体を前記貯液タンク８に貯える沸き増し運転と、を実行可能な液体加熱供給装置であって、前記沸き増し時間帯は、複数の時間帯で区切られ、該時間帯ごとに前記所定量が設定される。【選択図】図３
2012063101.tif 000002
【特許請求の範囲】
【請求項１】
低温の被加熱液体を加熱して高温の被加熱液体とする液体加熱手段と、
前記液体加熱手段で加熱された高温の被加熱液体を貯える貯液タンクと、
前記液体加熱手段を制御する制御手段と、を備え、
前記制御手段は、
沸き上げ時間帯において、前記液体加熱手段により加熱された高温の被加熱液体を前記貯液タンクに貯える沸き上げ運転と、
前記沸き上げ時間帯以外の時間帯である沸き増し時間帯において、前記貯液タンク内の高温の被加熱液体が所定量以下となると、前記液体加熱手段により加熱された高温の被加熱液体を前記貯液タンクに貯える沸き増し運転と、
を実行可能な液体加熱供給装置であって、
前記沸き増し時間帯は、
複数の時間帯で区切られ、該時間帯ごとに前記所定量が設定される
ことを特徴とする液体加熱供給装置。
【請求項２】
前記時間帯の開始時刻と終了時刻を変更する時間帯変更手段を更に備える
ことを特徴とする請求項１に記載の液体加熱供給装置。
【請求項３】
前記時間帯の開始時刻と終了時刻は、曜日ごとに設定される
ことを特徴とする請求項２に記載の液体加熱供給装置。
【請求項４】
前記時間帯ごとに設定される前記所定量は、曜日ごとに設定される
ことを特徴とする請求項１乃至請求項３のいずれか１項に記載の液体加熱供給装置。
【請求項５】
前記時間帯ごとの開始時刻および終了時刻と、前記時間帯ごとの前記所定量とが表示される端末を備える
ことを特徴とする請求項１乃至請求項４のいずれか１項に記載の液体加熱供給装置。
【請求項６】
前記液体加熱手段は、ヒートポンプユニットである
ことを特徴とする請求項１乃至請求項５のいずれか１項に記載の液体加熱供給装置。
【請求項７】
前記ヒートポンプユニットの冷媒がＣＯ２である
ことを特徴とする請求項６に記載の液体加熱供給装置。
【発明の詳細な説明】
【技術分野】
【０００１】
本発明は、液体加熱供給装置に関するもので、特に液体加熱供給装置の運転制御に関する。
【背景技術】
【０００２】
被加熱液体（例えば、飲用水道水や地下水）を加熱し、加熱された高温の被加熱液体を貯え、使用者の必要に応じて貯えた高温の被加熱液体を供給する液体加熱供給装置として、例えば、ヒートポンプ給湯機が知られている。
ヒートポンプ給湯機は、夜間の割引電気料金を利用してヒートポンプおよび送液ポンプを運転（沸き上げ運転）し、常温水（被加熱液体）を加熱して高温水（高温の被加熱液体）として貯液タンクに貯え、昼間の湯水使用時に蛇口を開いたとき、貯液タンク内の高温水に常温水を混ぜて適温水として給湯するのが一般的である。
【０００３】
特開２００９−２０４２０９号公報（特許文献１）に開示されているように、従来のヒートポンプ給湯機における沸き上げ運転の制御は、夜間の割引電気料金の時間帯に沸き上げ運転を行い、その他の時間帯においては、あらかじめ設定された貯湯量以下になると沸き増し運転を行い、設定された貯湯量になると沸き増し運転を停止するとしたものが一般的であった。
【先行技術文献】
【特許文献】
【０００４】
【特許文献１】特開２００９−２０４２０９号公報
【発明の概要】
【発明が解決しようとする課題】
【０００５】
特許文献１に開示されているように、従来のヒートポンプ給湯機の沸き上げ制御は、沸き上げ制御により沸き上げられた湯（高温の被加熱液体）を貯液タンクに貯湯して使用しているが、沸き上げ時間帯以外の時間帯に湯が使用された場合に所定量まで湯を沸き増す。
このとき使用量に関係なく所定量まで湯（高温の被加熱液体）の沸き増しを行うため、無駄な沸き増し運転が発生してしまうおそれがある。
また、無駄な沸き増し運転をしている場合、深夜時間帯の早い時間で沸き上がる早沸き上げが発生してしまい、深夜時間帯の料金が用いられず使用者の金銭的なロスが生じる。また、早い時間に沸き上げられた湯は翌日まで使用されず沸き上げロスも生じる。
【０００６】
そこで、本発明は、湯切れを防止しつつ、無駄な沸き増しを防止して電気代を節約する液体加熱供給装置（例えば、ヒートポンプ給湯機）を提供することを目的とする。
【課題を解決するための手段】
【０００７】
本発明は、このような課題を解決するために、請求項１に係る液体加熱供給装置は、低温の被加熱液体を加熱して高温の被加熱液体とする液体加熱手段と、前記液体加熱手段で加熱された高温の被加熱液体を貯える貯液タンクと、前記液体加熱手段を制御する制御手段と、を備え、前記制御手段は、沸き上げ時間帯において、前記液体加熱手段により加熱された高温の被加熱液体を前記貯液タンクに貯える沸き上げ運転と、前記沸き上げ時間帯以外の時間帯である沸き増し時間帯において、前記貯液タンク内の高温の被加熱液体が所定量以下となると、前記液体加熱手段により加熱された高温の被加熱液体を前記貯液タンクに貯える沸き増し運転と、を実行可能な液体加熱供給装置であって、前記沸き増し時間帯は、複数の時間帯で区切られ、該時間帯ごとに前記所定量が設定されることを特徴とする。
【０００８】
また、請求項２に係る液体加熱供給装置は、前記時間帯の開始時刻と終了時刻を変更する時間帯変更手段を更に備えることを特徴とする。
【０００９】
また、請求項３に係る液体加熱供給装置は、前記時間帯の開始時刻と終了時刻は、曜日ごとに設定されることを特徴とする。
【００１０】
また、請求項４に係る液体加熱供給装置は、前記時間帯ごとに設定される前記所定量は、曜日ごとに設定されることを特徴とする。
【００１１】
また、請求項５に係る液体加熱供給装置は、前記時間帯ごとの開始時刻および終了時刻と、前記時間帯ごとの前記所定量とが表示される端末を備えることを特徴とする。
【００１２】
また、請求項６に係る液体加熱供給装置は、前記液体加熱手段は、ヒートポンプユニットであることを特徴とする。また、前記ヒートポンプユニットの冷媒がＣＯ２であることを特徴とする。
【発明の効果】
【００１３】
本発明によれば、湯切れを防止しつつ、無駄な沸き増しを防止して電気代を節約する液体加熱供給装置を提供することができる。
【図面の簡単な説明】
【００１４】
【図１】本実施形態に係るヒートポンプ給湯機の構成模式図である。
【図２】本実施形態に係るヒートポンプ給湯機の運転動作のフローチャートである。
【図３】本実施形態に係るヒートポンプ給湯機の他時間帯における沸き増し運転制御を説明する図である。
【図４】操作端末に表示される沸き増し量設定画面である。
【発明を実施するための形態】
【００１５】
以下、本発明を実施するための形態（以下「実施形態」という）について、適宜図面を参照しながら詳細に説明する。なお、各図において、共通する部分には同一の符号を付し重複した説明を省略する。
【００１６】
≪ヒートポンプ給湯機≫
図１は、本実施形態に係るヒートポンプ給湯機の構成模式図である。
ヒートポンプ給湯機は、ヒートポンプ冷媒回路の構成部品および被加熱液体回路の一方の構成部品を収納したヒートポンプユニット３０と、被加熱液体回路の他方の構成部品および給液回路の構成部品を収納した貯液ユニット４０と、ヒートポンプユニット３０および貯液ユニット４０を制御する運転制御手段５０と、運転制御手段５０と接続される操作端末（リモコン）６０とを備えて構成されている。
以下、ヒートポンプ冷媒回路、被加熱液体回路、および給液回路の構成について説明する。
【００１７】
＜ヒートポンプ冷媒回路＞
ヒートポンプ冷媒回路は、圧縮機１と、液冷媒熱交換器２の冷媒側伝熱管２ａと、減圧装置３と、空気熱交換器４とを備えて構成され、冷媒が循環するように、それぞれ冷媒配管を介して順次環状に接続されている。なお、本実施形態での冷媒としては、炭酸ガス（ＣＯ2 ）冷媒が封入されており、また、本実施形態での被加熱液体（液）としては、水(飲用水道水)が用いられているものとして以下説明する。
【００１８】
圧縮機１は、空気熱交換器４からの冷媒を圧縮するとともに、圧縮した高温のガス冷媒（高温冷媒）を液冷媒熱交換器２の冷媒側伝熱管２ａに送り出している。
圧縮機１は、ＰＷＭ(Pulse Width Modulation)制御、電圧制御（例えばＰＡＭ（Pulse Amplitude Modulation)制御）またはこれらを組み合わせた制御により、低速（例えば７００回転／分）から高速（例えば６０００回転／分）まで回転速度制御ができるようになっている。
【００１９】
液冷媒熱交換器２は、圧縮機１から吐出される高温冷媒を流通させる冷媒側伝熱管２ａと、後述する水を流通させる液側伝熱管２ｂとを備えて構成され、冷媒側伝熱管２ａと液側伝熱管２ｂとの間で熱交換し易い構造となっている。
【００２０】
減圧装置３は、液冷媒熱交換器２の冷媒側伝熱管２ａと空気熱交換器４との間に配置される冷媒配管の途中に設けられており、一般に電動膨張弁が使用されている。
減圧装置３は、液冷媒熱交換器２を経て送られてくる中温高圧冷媒を減圧し、蒸発し易い低圧冷媒として空気熱交換器４へ送り出している。
また、減圧装置３は、絞り開度が調節可能となっており、この絞り開度を変えてヒートポンプ冷媒回路内の冷媒循環量を調節する働きや、冬期低温時にヒートポンプ運転して空気熱交換器４に着霜した場合に、絞り開度を全開にして中温冷媒を空気熱交換器４に多量に送って霜を溶かす除霜装置としても働く。
【００２１】
空気熱交換器４は、送風ファン５の回転によって外気を取り入れた空気と、空気熱交換器４内を流通する冷媒との熱交換を行って、外気から熱を汲み上げるものである。そして、冷媒は、空気熱交換器４から圧縮機１へと送られる。
【００２２】
＜被加熱液体回路＞
被加熱液体回路は、夜間の割引電気料金を利用して定期的に湯（高温水）を貯液タンク８に貯める沸き上げ運転（液体加熱運転）、および、残湯量が規定値以下になった場合に湯（高温水）を沸き増す沸き増し運転（液体加熱運転）によって、貯液タンク８に高温水を貯めるための液回路である。
被加熱液体回路は、貯液タンク８と、送液ポンプ１２と、液冷媒熱交換器２の液側伝熱管２ｂと、を備えて構成され、それぞれ液配管を介して順次環状に接続されている。
【００２３】
送液ポンプ１２は、被加熱液体回路内の水を送るポンプであり、具体的には、貯液タンク８の底部に接続された液配管を介して貯液タンク８内の水を液冷媒熱交換器２の液側伝熱管２ｂに入水する。
【００２４】
液冷媒熱交換器２は、前述した冷媒側伝熱管２ａと、送液ポンプ１２から吐出される低温水を流通させる液側伝熱管２ｂとを備えて構成され、冷媒側伝熱管２ａと液側伝熱管２ｂとの間で熱交換するように密着して設けられる。
【００２５】
このように、送液ポンプ１２から吐出される低温水は、液冷媒熱交換器２の液側伝熱管２ｂに流入して、規定温度に加熱され高温水となる。加熱された高温水は、貯液タンク８の上部から貯湯される。
【００２６】
＜給液回路＞
給液回路は、湯水使用時に行う給湯運転（液体供給運転）によって、台所蛇口１１などから湯水を供給するための液回路である。
給液回路は、給水金具６と、減圧弁７と、貯液タンク８と、湯水混合弁９と、給湯金具１０とが液配管を介して順次直列に接続され構成されている。
また、減圧弁７と貯液タンク８との間に配置される液配管は途中で分岐し、湯水混合弁９と接続されている。
給水金具６は水道などの給水源と接続され、給湯金具１０は台所蛇口１１に接続されている。なお、図１には、給湯金具１０に台所蛇口１１のみが接続されているが、洗面蛇口（図示せず）や風呂湯張り回路（図示せず）などの使用端末にも接続されていてもよい。
【００２７】
湯水混合弁９は、貯液タンク８の上部から供給される高温水（高温の被加熱液体）と、減圧弁７から供給される常温水（被加熱液体）を混合し、適温水として台所蛇口１１に供給する。使用者が、台所蛇口１１を開き湯水使用が開始されると、後述する運転制御手段５０は、給湯温度が適温（例えば、約４２℃）となるように湯水混合弁９からの給水量を調整し、給水金具６、減圧弁７、貯液タンク８、湯水混合弁９、給湯金具１０、台所蛇口１１の給液回路で適温水を供給する給湯運転を開始する。なお、給湯運転時は、水道などの給水源からの水圧で給湯を行う。
【００２８】
＜運転制御手段＞
次に、ヒートポンプ給湯機の運転制御手段５０について説明する。
運転制御手段５０は、圧縮機１、減圧装置３、送風ファン５、湯水混合弁９、送液ポンプ１２などを制御することにより、沸き上げ運転（液体加熱運転）、沸き増し運転（液体加熱運転）、給湯運転（液体供給運転）などを行うものである。
【００２９】
また、運転制御手段５０は、冬期低温時は高温貯湯の規定温度（例えば８５〜９０℃）で貯湯するとともに周囲温度や給水温度が低く加熱負荷が大きいため、圧縮機１を高回転速度（例えば３０００〜４０００回転／分）とし、夏期や中間期は加熱負荷が軽いので通常貯湯の規定温度（約６５℃）で比較的低回転速度（例えば１０００〜２０００回転／分）とするなどの最適運転制御手段（図示せず）を有している。
【００３０】
さらに、ヒートポンプ給湯機には、貯液タンク８の貯湯温度を検知するための複数のタンク温度センサ８ａ、８ｂ、８ｃ、８ｄや各部の冷媒温度や水温を検知する各部サーミスタ、および圧縮機１の吐出圧力を検知する圧力センサなど（いずれも図示せず）が設けられ、各検出信号は運転制御手段５０に入力されるように構成されている。運転制御手段５０はこれらの信号に基づいて各機器を制御するものである。
また、運転制御手段５０は複数のタンク温度センサ８ａ、８ｂ、８ｃ、８ｄの温度検出値の差異により、貯液タンク８内のどこまで貯湯されているかを検知して、貯湯量を計ることができる。
【００３１】
操作端末６０は、運転制御手段５０と通信可能に接続され、ヒートポンプ給湯機の動作設定や動作状況を表示するための表示部と、動作設定を入力するための入力部を備えている。
【００３２】
＜ヒートポンプ給湯機の運転動作＞
次に、本実施形態のヒートポンプ給湯機の運転動作について図１を参照しつつ、図２を用いて説明する。図２は、本実施形態に係るヒートポンプ給湯機の運転動作のフローチャートである。
ステップＳ１において、運転制御手段５０は、あらかじめ設定された沸き上げ時間帯内であるか否かを判定する。沸き上げ時間帯内である場合には（Ｓ１・Ｙｅｓ）、ステップＳ２に進む。一方、沸き上げ時間帯内でない場合には（Ｓ１・Ｎｏ）、ステップＳ５に進む。
なお、沸き上げ時間帯とは、給湯使用量を記憶学習して給湯使用量を推定し、この推定に基づき夜間の貯湯温度および貯湯量を決定するとともに、上記貯湯量が夜間電気割引料金の適用される規定時間（例えば２３時〜７時）内に沸き上がるように沸き上げ運転を行う時間帯である。
なお、本実施形態では、沸き上げ時間帯における貯湯量の規定量は満蓄（１００％）であり、沸き上げ設定温度を９０℃であるとして説明する。
【００３３】
ステップＳ２において、運転制御手段５０は、貯湯量が沸き上げ時間帯の規定量以上か否かを判定する。貯湯量が規定量未満である場合には（Ｓ２・規定量未満）、ステップＳ３に進む。一方、規定量以上である場合には（Ｓ２・規定量以上）、ステップＳ４に進む。
なお、貯湯量の判定は、タンク温度センサ８ａ、８ｂ、８ｃ、８ｄで検出した温度が所定の温度（例えば７０℃）以上の場合には、タンク温度センサ８ａ、８ｂ、８ｃ、８ｄの設けられた位置まで貯液タンク８内に貯湯されていると判定することによって行う。
【００３４】
ステップＳ３において、運転制御手段５０は、沸き上げ運転を開始する。
即ち、運転制御手段５０は、圧縮機１、減圧装置３、送風ファン５を始動させヒートポンプ運転を開始するとともに、送液ポンプ１２を制御し、貯液タンク８の底部から循環されるタンク貯湯水を液冷媒熱交換器２で高温冷媒と熱交換して規定温度の高温水とし、貯液タンク８上部から戻す沸き上げ運転を行う。なお、運転制御手段５０は、沸き上げ設定温度（９０℃）と外気温度（例えば１６℃）に基づいて、ヒートポンプユニット３０の加熱能力が所定の加熱能力（例えば１３ｋＷ）となるように、圧縮機１や貯液タンク８の回転速度を制御する。その後、ステップＳ１に戻る。
【００３５】
ステップＳ４において、運転制御手段５０は、沸き上げ運転を終了する。
即ち、運転制御手段５０は、圧縮機１、減圧装置３、送風ファン５、送液ポンプ１２を停止させる。その後、ステップＳ１に戻る。
なお、貯湯量が規定量以上になって（Ｓ２・規定量以上）、沸き上げ運転が終了しても（Ｓ４）、ステップＳ１に戻り、沸き上げ時間帯内であれば（Ｓ１・Ｙｅｓ）、貯湯量の判定を行う（Ｓ２）。これにより、沸き上げ時間帯内において、その後の湯の使用などにより貯湯量が規定量を下回った場合（Ｓ２・規定量未満）、ステップＳ３に進み、沸き上げ運転が開始され、貯湯量が確保される。
【００３６】
ステップＳ１がＮｏである場合のステップＳ５において、運転制御手段５０は、沸き上げ運転を終了する。
即ち、運転制御手段５０は、圧縮機１、減圧装置３、送風ファン５、送液ポンプ１２を停止させる。その後、ステップＳ６に進む。
【００３７】
ステップＳ６において、運転制御手段５０は、あらかじめ設定された他時間帯内であるか否かを判定する。他時間帯内である場合には（Ｓ６・Ｙｅｓ）、ステップＳ７に進む。一方、他時間帯内でない場合には（Ｓ６・Ｎｏ）、ステップＳ１０に進む。
なお、他時間帯とは、沸き上げ時間帯以外の時間帯である。
【００３８】
ステップＳ７において、運転制御手段５０は、貯湯量（残湯量）が他時間帯の規定量以上か否かを判定する。貯湯量（残湯量）が規定量未満である場合には（Ｓ７・規定量未満）、ステップＳ８に進む。一方、規定量以上である場合には（Ｓ７・規定量以上）、ステップＳ９に進む。
なお、他時間帯の貯湯量（残湯量）の規定量については、図３および図４を用いて後述する。
【００３９】
ステップＳ８において、運転制御手段５０は、沸き増し運転を開始して、貯湯タンク８内の湯を沸き増す。なお、沸き増し運転におけるヒートポンプユニット３０の動作は、ステップＳ３の沸き上げ運転と同様であり説明を省略する。その後、ステップＳ６に戻る。
【００４０】
ステップＳ９において、運転制御手段５０は、沸き増し運転を終了する。なお、沸き増し運転の終了については、ステップＳ４の沸き上げ運転の終了と同様であり説明を省略する。その後、ステップＳ６に戻る。
【００４１】
ステップＳ６がＮｏである場合のステップＳ１０において、運転制御手段５０は、沸き増し運転を終了する。なお、沸き増し運転の終了については、ステップＳ５と同様であり説明を省略する。
これにより、ヒートポンプ給湯機の１日の運転が終了する。
【００４２】
＜他時間帯の沸き増し運転＞
図３は、本実施形態に係るヒートポンプ給湯機の他時間帯における沸き増し運転制御を説明する図である。
ヒートポンプ給湯機の運転制御は、図２のフローチャートに示すように、沸き上げ時間帯７５（図２のＳ１〜Ｓ４参照）と、他時間帯７０（図２のＳ６〜Ｓ９参照）とに分かれている。さらに、他時間帯７０（図３では、７：００から２３：００まで）は、沸き上げ運転終了時刻７１（即ち、他時間帯開始時刻）から沸き増し量変更時刻（１）７２までの第１の時間帯（図３では、７：００から１２：００まで）と、沸き増し量変更時刻（１）７２から沸き増し量変更時刻（２）７３までの第２の時間帯（図３では、１２：００から１８：００まで）と、沸き増し量変更時刻（２）７３から沸き上げ運転開始時刻７４（即ち、他時間帯終了時刻）までの第３の時間帯（図３では、１８：００から２３：００まで）と、の３つの時間帯が設けられている。
【００４３】
３つの時間帯には、沸き増し量設定値７６，７７，７８が設定されている。
運転制御手段５０は、ステップＳ７（図２参照）において、その時間帯における貯湯量が規定量（沸き増し量設定値７６，７７，７８）以上であるか否かを判断することによって、沸き増し運転の開始・終了を制御している。
これにより、湯切れを防止するように、時間帯ごとに沸き増し量設定値７６，７７，７８を設定することができる。また、沸き上げ運転開始時刻７４において残湯量が小さくなるように沸き増し量設定値７６，７７，７８を設定することにより湯余りによるロスを防止し電気代を節約することができる。
【００４４】
図４は、操作端末に表示される沸き増し量設定画面である。
操作端末６０の表示部には、曜日８１、沸き上げ運転終了時刻（貯終）８２、第１時間帯（設定１）８３、沸き増し量変更時刻（１）８４、第２時間帯（設定２）８５、沸き増し量変更時刻（２）８６、第３時間帯（設定３）８７、沸き上げ運転開始時刻（貯開）８８、第１時間帯の沸き増し量設定値９１、第２時間帯の沸き増し量設定値９２、第３時間帯の沸き増し量設定値９３の項目が表示されている。
使用者は、操作端末６０の操作部を操作して、左右のキーでカーソル８０を所定の項目に合わせ、上下のキーで設定値を変更することができる。
即ち、使用者は、左右キーでカーソル８０を曜日８１に合わせ、上下キーで設定したい曜日を表示させた後、カーソル８０をそれぞれの時間帯開始時刻・終了時刻（８２，８４，８６，８８参照）に合わせて個別に変更することができる。また、カーソル８０をそれぞれの時間帯（８３，８５，８７参照）に合わせて個別に沸き増し量設定値（９１，９２，９３）を設定することができる。
【００４５】
本実施形態に係るヒートポンプ給湯機によれば、時間帯ごとに沸き増し量設定値（７６、７７、７８、９１、９２、９３）を設定することができるので、湯切れリスクを回避しつつ、他時間帯の終盤に過度の沸き増し運転が実行されることを防止することができ、湯余りロスを回避することにより電気代を節約することができる。
また、曜日ごとに時間帯と、各時間帯における沸き増し量設定値を設定することができるため、業種または個別のユーザに合わせた沸き増し運転が可能となり、湯切れリスクを回避しながら過度の沸き増しによる湯余りのロスを回避し電気代を節約することができる。
【００４６】
なお、本実施形態に係る液体加熱供給装置（ヒートポンプ給湯機）は、上記実施形態の構成に限定されるものではなく、発明の趣旨を逸脱しない範囲内で種々の変更が可能である。
例えば、上記実施形態の構成においては、他時間帯は、３つの時間帯から構成されるものとして説明したが、２つの時間帯から構成されるものでもよく、また、４つ以上の時間帯から構成されるものであってもよい。
また、送液ポンプ１２の位置は、液冷媒熱交換器２の上流側に設定されているものとして説明したが、これに限定されるものではなく、液冷媒熱交換器２の下流側にあってもよい。
また、被加熱液体の加熱手段として、ヒートポンプユニット３０を用いて、貯液タンク８内の被加熱液体を加熱するものとして説明したが、貯液タンク８内にヒータ（図示せず）を設けて、このヒータを被加熱液体の加熱手段として用いてもよい。
【符号の説明】
【００４７】
１    圧縮機
２    液冷媒熱交換器
２ａ  冷媒側伝熱管
２ｂ  液側伝熱管
３    減圧装置
４    空気熱交換器
５    送風ファン
６    給水金具
７    減圧弁
８    送液タンク
８ａ、８ｂ、８ｃ、８ｄ  タンク温度センサ
９    湯水混合弁
１０  給湯金具
１１  台所蛇口
１２  送液ポンプ
３０  ヒートポンプユニット（液体加熱手段）
４０  貯液ユニット
５０  運転制御手段
６０  操作端末（時間帯変更手段）
７０  他時間帯（沸き増し時間帯）
７５  沸き上げ時間帯
７６，７７，７８  沸き増し量設定値（所定値）
【図１】
2012063101.tif 000003
【図２】
2012063101.tif 000004
【図３】
2012063101.tif 000005
【図４】
2012063101.tif 000006